(57)【要約】【課題】簡単な構造で伸縮自在な帯体を有し、必要なときは帯体を伸ばして離れた所に位置する物体を容易に取ることができ、不要なときは小形化して携帯することができる動作補助具を提供する。【解決手段】第一第二の帯体２６，３４の先端部に取り付けられた取付部材２８と、取付部材２８に着脱可能に連結された付け替え可能な作業部材２９を備える。ケース１２は、第一帯体２６を巻き回した第一回転ドラム２４を収容した第一収容部１４と、第一収容部１４から第一帯体２６を外側に引き出す第一開口部１８を備える。さらにケース１２は、第二帯体３４を巻き回した第二回転ドラム３２を収容した第二収容部１６と、第二収容部１６から第二帯体３４を外側に引き出す第二開口部２０を備える。第一開口部１８と第二開口部２０は、同方向に向かって開口している。【選択図】図１
2010064152.tif 000002
【特許請求の範囲】
【請求項１】
スチール製の帯体と、前記帯体を回転ドラムに巻き回して収納するケースと、前記帯体の前記ケースから外側に突出する先端部に取り付けられた取付部材と、前記取付部材に着脱可能に連結された作業部材が設けられていることを特徴とする動作保持具。
【請求項２】
前記帯体は、第一帯体と第二帯体が設けられ、前記ケースには、前記第一帯体を巻き回した第一回転ドラムを収容した第一収容部と、前記第一収容部から前記第一帯体を外側に引き出す第一開口部と、前記第二帯体を巻き回した第二回転ドラムを収容した第二収容部と、前記第二収容部から前記第二帯体を外側に引き出す第二開口部が設けられ、前記第一開口部と前記第二開口部は同方向に向かって開口し、前記第一帯体には前記取付部材が設けられ、前記第二帯体には前記第一帯体に取り付けられた前記作業部材に対して補助動作を行う補助部材が設けられていることを特徴とする請求項１記載の動作補助具。
【請求項３】
前記回転ドラムには、前記帯体を所望の長さに引き出したときに回転を止めるブレーキ構造が設けられていることを特徴とする請求項１記載の動作補助具。
【請求項４】
前記ケースには、指で保持する透孔が設けられていることを特徴とする請求項１記載の動作補助具。
【請求項５】
前記回転ドラムは、巻き取りバネを有する自動巻取式であることを特徴とする請求項１記載の動作補助具。
【発明の詳細な説明】
【技術分野】
【０００１】
この発明は、必要に応じて伸ばすことができ所定の剛性を有する帯体と、前記帯体の先端に取り付けられた作業部材が設けられている動作補助具に関する。
【背景技術】
【０００２】
従来、手の届かない所に位置する物体や狭い所に落とした物体を挟んで引き寄せて取ることができるマジックハンドがある。特許文献１に開示されているマジックハンドは、金属薄板製の前面材と背面材とで形成された一対の把持部材を有し、把持部材の先端部を、板面を同一方向に向けて互いに結合されている。一対の前面材の基端側は操作レバーに連結され、一対の背面材の基端側は柄に固定されている。背面材は湾曲されてその先端部に結合された前面材を背面側へ撓ませるように付勢し、操作レバーで前面材の基端側を手元側へ引いて一対の把持部材の先端部を近接、離反させるようにして、前面材と背面材の撓みで把持力が自然に調節され、物体をソフトに安定して把持するものである。
【０００３】
特許文献２に開示されているマジックハンド靴べらは、中空の柄と握りを有する靴べらの背面に、支持台に組んだアームを設け、中空の柄の端部に設けた指掛けとアームをワイヤーで連結し、指掛けを指で引いてアームを開閉するものである。
【特許文献１】特開２００２−１５４０７５号公報
【特許文献２】特開２００４−８７２５号公報
【発明の開示】
【発明が解決しようとする課題】
【０００４】
上記背景技術の場合、構造が複雑で高価であり、また一定の固定長さを有するため携帯することはできず、必要なときにいつでも使用することができず、特に体の不自由な人が任意に使用することができるものではなかった。また、取りたい物体の形状や位置に合わせて把持部分の形状を変えることができるものではなかった。
【０００５】
この発明は、上記背景技術の問題点に鑑みてなされたものであり、簡単な構造で伸縮自在な帯体を有し、必要なときは帯体を伸ばして離れた所に位置する物体を容易に取ることができ、不要なときは小形化して携帯することができる動作補助具を提供することを目的とする。
【課題を解決するための手段】
【０００６】
本発明は、スチール製の帯体と、前記帯体を回転ドラムに巻き回して収納するケースと、前記帯体の前記ケースから外側に突出する先端部に取り付けられた取付部材と、前記取付部材に着脱可能に連結された作業部材が設けられた動作保持具である。前記作業部材は、キリ、網、フック、粘着テープ、Ｔ字形のバー、環状のワイヤー、粘着テープを巻いたロール、ペンライト等、自由に変えることができる。
【０００７】
また前記帯体は、第一帯体と第二帯体が設けられ、前記ケースには、前記第一帯体を巻き回した第一回転ドラムを収容した第一収容部と、前記第一収容部から前記第一帯体を外側に引き出す第一開口部と、前記第二帯体を巻き回した第二回転ドラムを収容した第二収容部と、前記第二収容部から前記第二帯体を外側に引き出す第二開口部が設けられ、前記第一開口部と前記第二開口部は同方向に向かって開口し、前記第一帯体には前記取付部材が設けられ、前記第二帯体には前記第一帯体に取り付けられた前記作業部材に対して補助動作を行う補助部材が設けられている。
【０００８】
前記回転ドラムには、前記帯体を所望の長さに引き出したときに回転を止めるブレーキ構造が設けられている。例えば、回転ドラムの円周方向に沿って波形状の凹凸部が設けられ、前記ケースには、前記凹凸に当接し前記回転ドラムが前記帯体を一方向に回転するときは弾性変形して回転し逆方向に回転するときは前記凹凸に係止されて回転を止める係止突起が設けられたワンウェイクラッチである。
【０００９】
また前記ケースには、指で保持する透孔が設けられている。また、前記回転ドラムは、巻き取りバネを有する自動巻取式である。
【発明の効果】
【００１０】
本発明の動作補助具は、簡単な構造で伸縮自在な帯体を有し、必要なときは帯体を伸ばして離れた所に位置する物体を容易に取ることができ、不要なときは小形化して携帯することができるものである。さらに、取りたい物体の形状や位置に合わせて作業部材を取り替えて、確実に取ることができる。特に、障害者や高齢者等が姿勢を変えずに、横になったままや座ったままでも物を取ることができ、自立した生活を助けることができるものである。
【発明を実施するための最良の形態】
【００１１】
以下、この発明の実施形態について図面に基づいて説明する。図１〜図３はこの発明の第一実施形態を示すもので、この実施形態の動作補助具１０は、合成樹脂製のケース１２が設けられている。ケース１２は、一方向に長い板状の底面部１２ａを有し、底面部１２ａの長手方向の途中から一方の端部にかけて幅が広く深く形成され、この端部は外側に膨出する半円形に形成されている。他方の端部にかけて幅が一定で一定深さであり、この端部はほぼ直線で形成されている。底面部１２ａの周縁部には、底面部１２ａに対して直角に立ち上がる側面部１２ｂが一周して設けられている。
【００１２】
底面部１２ａの途中から幅が広くて深い一方の端部の内側は、第一収容部１４となっている。第一収容部１４の隣には第二収容部１６が、所定の大きさで第一収容部１４とは壁部１５で区切られて設けられている。側面部１２ｂには、第一収容部１４と第二収容部１６が外部と連通する第一開口部１８、第二開口部２０が、それぞれ一方向に向かって開口されている。
【００１３】
第一収容部１４には、底面部１２ａの第一収容部１４中心に底面部１２ａに対して直角に立ち上がる第一軸２２が一体に形成され、第一軸２２には図示しない巻き取りバネを有する第一回転ドラム２４が回転自在に軸装されている。第一回転ドラム２４には、スチール製の第一帯体２６が巻き付けられている。第一帯体２６は、一定幅の直線であり幅方向の断面形状がわずかに湾曲し、ケース１２から引き出されたときは、一定以上の剛性を有して直線の棒状となり、ケース１２に収容されるときは第一回転ドラム２４に巻き回されてコンパクトになる。第一帯体２６の基端部は第一回転ドラム２４に連結され、先端部はケース１２の第一開口部１８から外側に引き出されている。なお第一帯体２６は、ケース１２から引き出すときは抵抗が小さく、引き出すにつれて巻き取りエネルギーが図示しない巻き取りバネに蓄積されるものである。引き出した第一帯体２６を収納する場合は、第一帯体２６を保持している手を離すことにより、巻き取りバネに蓄積されている巻き取りエネルギーによって自動的にケース１２内に巻き取られて収納される。
【００１４】
第一帯体２６の、ケース１２から引き出された先端には、取付部材２８が設けられ、取付部材２８には、作業部材２９が着脱可能に取り付けられている。ここでは作業部材２９は、矩形の枠に網が張られたものである。
【００１５】
第二収容部１６には、底面部１２ａの第二収容部１６中心に底面部１２ａに対して直角に立ち上がる第二軸３０が一体に形成され、第二軸３０には図示しない巻き取りバネを有する第二回転ドラム３２が回転自在に軸装されている。第二回転ドラム３２は第一回転ドラム２４よりも直径がやや小さく厚みが薄いものである。第二回転ドラム３２には、スチール製の第二帯体３４が巻き付けられて、第二帯体３４は第一帯体２６よりもやや幅が狭く形成されている。第二帯体３４も、第一帯体２６と同様に一定幅の直線であり幅方向の断面形状がわずかに湾曲し、ケース１２から引き出されたときは、剛性を有して直線の棒状となり、ケース１２に収容されるときは第二回転ドラム３２に巻き回されてコンパクトになる。第二帯体３４の長さや幅は、第一帯体２６と同じでも良く、幅が少し狭いものでも良い。第二帯体３４の基端部は第二回転ドラム３２に連結され、先端部はケース１２の第二開口部２０から外側に引き出されている。なお第二帯体３４は、ケース１２から引き出すときは抵抗が小さく、引き出すにつれて巻き取りエネルギーが図示しない巻き取りバネに蓄積されるものである。第二帯体３４も、第一帯体２６と同様に、巻き取りバネに蓄積されている巻き取りエネルギーによって自動的にケース１２内に巻き取られて収納される。
【００１６】
第二帯体３４の、ケース１２から引き出された先端には、作業部材２９に対して補助的な動作を行う補助具であるコの字形のフック３６が設けられている。
【００１７】
底面部１２ａの、第一収容部１４と反対側の端部には、第二収容部１６との間に、手で持つための透孔３８が壁部３７で区切られて設けられている。底面部１２ａの長手方向の端部には、側面部１２ｂの端面に開口される留め穴３９が設けられている。また、第一収容部１４と第二収容部１６の間の壁部１５近傍と、第二収容部１６と透孔３８の間の壁部３７近傍には、一対のネジ穴４１がそれぞれ設けられている。
【００１８】
側面部１２ｂの開口部には、板状の蓋体１２ｃが取り付けられて閉鎖されている。蓋体１２ｃには、ネジ穴４１に連通する図示しない透孔や、とめ穴３９に差し込まれる位置決め用の図示しない突起が設けられている。
【００１９】
次に動作補助具１０の組立方法について説明する。底面部１２ａと側面部１２ｂで囲まれた第一収容部１４と第二収容部１６に、第一帯体２６を巻き付けた第一回転ドラム２４と、第二帯体３４を巻き付けた第二回転ドラム３２をセットし、側面部１２ｂの開口部に、蓋体１２ｃを位置決めしながら取り付け、ネジで固定する。
【００２０】
次に動作補助具１０の使用方法について説明する。離れた場所にある物体４０を取るために、動作補助具１０の第一帯体２６を引き出して棒状として、第一帯体２６の作業部材２９を物体４０の近傍に差し出して、作業部材２９の網の中に物体４０を入れる。そして第一帯体２６をケース１２内に巻き取り収納すると、作業部材２９が手元に近づき、作業部材２９の中の物体４０を取ることができる。物体４０が作業部材２９の中に入りにくいときは、第二帯体３４を引き出して、第二帯体３４のフック３６で物体４０を移動させて作業部材２９の中に入れる。ケース１２は、透孔３８に指を入れて持つと、安定して保持することができる。
【００２１】
この実施形態の動作補助具１０によれば、離れたところの物体４０を近づいたりかがんだりすることなく、楽に取ることができる。動作補助具１０は、不要なときは第一帯体２６と第二帯体３４が第一回転ドラム２４と第二回転ドラム３２に巻き付けてコンパクトにケース１２に収容し、携帯することができる。そして、必要なときは、第一帯体２６と第二帯体３４を長く引き出して遠くに位置する物体４０を容易にとることができる。第一帯体２６と第二帯体３４は、巻き取りバネによりケース１２内に巻き取られるため、物体４０を引き寄せるときに力が要らず、容易に物体４０を引き寄せることができる。これにより、身障者や高齢者等が横になったままや座ったままでも物体４０を取ることができ、自立した生活を助けることができる。物体４０をとるときの移動やかがむ際の転倒を防ぎ、怪我の安全対策になる。第一帯体２６と第二帯体３４が平行に、独立して設けられているため、物体４０を掴むときに独立した動きをして確実に掴むことができる。ケース１２の透孔３８に指を入れて保持することができ、指が不自由な人や力が弱い人でも簡単に保持することができる。
【００２２】
なお、動作補助具１０のケース１２は、第一帯体２６を所定長さに引き出した状態で係止するブレーキ構造を設けてもよい。例えば、図４に示すようにケース１２の側面部１２ｂに、第一収容部１４に連通する透孔４２を設け、透孔４２に雄ネジ部材４４を挿通し、雄ネジ部材４４の、透孔４２外側に突出している部分にはナット部材４６が螺合されている。雄ネジ部材４４には透孔４２の第一収容部１４側に当接する突起が設けられ、突起と側面部１２ｂとの間に第一帯体２６が挿通されている。第一帯体２６を所定長さ引き出して係止したいときは、ナット部材４６を回転させて雄ネジ部材４４の突起を側面部１２ｂに引き付け、第一帯体２６を挟持して係止することができる。
【００２３】
また、動作補助具１０のケース１２は、第二帯体３４を所定長さに引き出した状態で係止するブレーキ構造を設けてもよい。例えば図４に示すようにケース１２の側面部１２ｄに、第二収容部１６に連通する透孔４８を設け、透孔４８の外側にスライダ５０が取り付けられている。スライダ５０には、透孔４８に差し込まれ第二回転ドラム３２近傍に延出する係止突起５２が設けられている。第二回転ドラム３２の側周面には、係止突起５２に当接する波形状の凹凸部５４が設けられている。第二回転ドラム３２が、第二帯体３４を引き出す方向に回転するときは、係止突起５２は弾性変形して凹凸部５４を乗り越えて回転可能であり、第二帯体３４を引き込む方向に回転するときは、係止突起５２は凹凸部５４に差し込まれて係止され回転が止められ係止されるワンウェイクラッチとなる。第二帯体３４を収納するときは、スライダ５０を摺動して係止突起５２を凹凸部５４から離して係合を解除し、第二帯体３４を第二回転ドラム３２に巻き付けて収容する。
【００２４】
図４のブレーキ構造は適宜変更可能であり、第一収容部１４と第二収容部１６の一方にブレーキ構造が設けられたり、第一収容部１４と第二収容部１６のブレーキ構造を互いに逆の構造のものにしたり、互いに同じものにしても良い。また図５に示すように、第二回転ドラム３２の中心にケース１２の蓋体１２ｂを貫通して外側に突出する軸部５６を連結し、軸部５６にハンドル５８を取り付けてもよい。軸部５６とハンドル５８は、第一回転ドラム２４に取り付けてもよい。
【００２５】
なお、第一帯体２６の取付部材２８に取り付けられる作業部材２９は、上記以外の構造でも良い。図６に示す作業部材６０は一対の挟持部材６４とバネ６２からなるピンチであり、一方の挟持部材６４の端部を第一帯体２６の取付部材２８に連結し、他方の挟持部材６４の端部を第二帯体３４のフック３６に連結する。第二帯体３４を第一帯体２６に対して短くすると挟持部材６４の先端が開き、長くすると閉じる。これを利用して、第一帯体２６と第二帯体３４を物体４０の近傍に延出し物体４０を挟持部材６４の先端で挟持し、第一帯体２６と第二帯体３４をケース１２内に巻き取り、物体４０を引き寄せて取ることができる。
【００２６】
作業部材２９は、図７に示すようにいろいろな構造が考えられる。図７（ａ）に示す作業部材６６は、ワイヤーロープを環状に結んだものであり、物体４０を環状の部分で囲んで引き寄せることができる。図７（ｂ）に示す作業部材６８は、金属製の棒をＬ字形に折り曲げ、棒の直径方向につぶして平坦にしたものであり、Ｌ字形の内側に物体４０を入れて引き寄せることができる。図７（ｃ）に示す作業部材７０は、先端が鋭利な金属棒であり、物体４０に突き刺して引き寄せたり下に落ちたものを拾い上げたりすることができる。図７（ｄ）に示す作業部材７２は、先端が鋭利な金属棒をらせん状に曲げたものであり、作業部材７０と同様に物体４０に突き刺して引き寄せたり拾ったりすることができる。図７（ｅ）に示す作業部材７４は、金属製又は合成樹脂製のＴ字形に形成されたものであり、Ｔ字形の内側に物体４０を入れて引き寄せることができる。図７（ｆ）に示す作業部材７６は、粘着テープをロール状に巻いたものであり、物体４０に粘着して引き寄せたり拾ったりすることができる。図７（ｇ）に示す作業部材７８はペンライトであり、例えば暗いところに落ちた物体４０を照らすことができる。図７（ｈ）に示す作業部材８０は、半円形状のフックであり、フックの内側に物体４０を入れて引き寄せることができる。図７（ｉ）に示す作業部材８２は金属製の棒の先端をＶ字形に折り曲げたものであり、Ｖ字形の内側に物体４０を入れたり、物体４０にループや窪みが設けられているときにループや窪みに差し込んで引き寄せることができる。図７（ｊ）に示す作業部材作業部材８４は、金属製の棒の先端を基端側に二つ折りしさらに側方へＵ字形に湾曲させた形成されたものであり、物体４０にループや窪みが設けられているときにＵ字形の先端に掛けて引き寄せることができる。
【００２７】
この発明の動作補助具は、上記各実施形態に限定されず、ケースの形状や各帯体を収容する構造は適宜変更可能である。第一帯体に取り付ける作業部材はいろいろなものが可能であり、第二帯体にもフック以外にいろいろな種類の作業部材を取り付けても良い。ケースの透孔の位置や形状は変更しても良い。各帯体のブレーキ構造も上記以外の構造でも良い。帯体の数は２個に限定されず、適宜変更可能である。
【図面の簡単な説明】
【００２８】
【図１】この発明の一実施形態の動作補助具の使用状態を示す正面図である。
【図２】この実施形態の動作補助具の正面図（ａ）と右側面図（ｂ）である。
【図３】この実施形態の動作補助具の蓋体を外した正面図である。
【図４】この実施形態の動作補助具の変形例を示す蓋体を外した正面図である。
【図５】この実施形態の動作補助具の変形例を示す右側面図である。
【図６】この実施形態の動作補助具の変形例の使用状態を示す正面図である。
【図７】この実施形態の動作補助具の作業部材の変形例（ａ）〜（ｊ）を示す正面図である。
【符号の説明】
【００２９】
１０  動作補助具
１２  ケース
１４  第一収容部
１６  第二収容部
１８  第一開口部
２０  第二開口部
２４  第一回転ドラム
２６  第一帯体
２８  取付部材
２９  作業部材
３２  第二回転ドラム
３４  第二帯体
３６  フック
３８  透孔
４０  物体
【図１】
2010064152.tif 000003
【図２】
2010064152.tif 000004
【図３】
2010064152.tif 000005
【図４】
2010064152.tif 000006
【図５】
2010064152.tif 000007
【図６】
2010064152.tif 000008
【図７】
2010064152.tif 000009